(57)【要約】【課題】設定時刻以降の所定の動作によってマナーモードを解除する。【解決手段】通信装置１０は、マナーモードが設定されている状態で、予め設定された設定時刻以降に所定の動作が行われたか否かを判定する動作判定部１４と、動作判定部１４によって前記設定時刻以降に所定の動作が行われたと判定されたとき、マナーモードを解除するマナーモード制御部１５とを備える。これにより、例えば、マナーモードに設定して就寝した後、アラームに気づかず寝過ごした場合でも、モーニングコールの着信を報知して、ユーザを確実に起こすことができる。【選択図】図１
2009060294.tif 000002
【特許請求の範囲】
【請求項１】
マナーモード機能を備えた通信装置であって、
マナーモードが設定されている状態で、予め設定された設定時刻以降に所定の動作が行われたか否かを判定する動作判定手段と、
前記動作判定手段によって前記設定時刻以降に所定の動作が行われたと判定されたとき、マナーモードを解除するマナーモード制御手段とを備えたことを特徴とする通信装置。
【請求項２】
前記マナーモード制御手段は、前記マナーモードを解除してから、予め設定されたマナーモード解除時間経過後に、再びマナーモードに設定することを特徴とする請求項１に記載の通信装置。
【請求項３】
前記マナーモード制御手段は、前記所定の動作が起動したときにマナーモードを解除すると共に、該所定の動作が終了したときに再びマナーモードに設定することを特徴とする請求項１に記載の通信装置。
【請求項４】
前記マナーモード制御手段は、前記マナーモードを解除したとき、マナーモード時に無効化される機能の一部を有効化することを特徴とする請求項１から３の何れか１項に記載の通信装置。
【請求項５】
前記マナーモード制御手段がマナーモードを解除したとき、自装置または自装置が制御可能な外部装置で出力する音の音量を、所定の音量に調整する音量調整手段を備えたことを特徴とする請求項１から４の何れか１項に記載の通信装置。
【請求項６】
前記マナーモード制御手段がマナーモードを解除したことを、音、振動、表示、光および匂いの少なくとも何れか一つによって報知する報知手段を備えたことを特徴とする請求項１から５の何れか１項に記載の通信装置。
【請求項７】
前記マナーモード制御手段がマナーモードを解除したとき、自装置が制御可能な外部装置の機能を起動する起動手段を備えたことを特徴とする請求項１から６の何れか１項に記載の通信装置。
【請求項８】
前記マナーモード制御手段は、自装置を保持する保持装置に保持されたとき、マナーモードの解除／設定の状態を切り替えることを特徴とする請求項１から７の何れか１項に記載の通信装置。
【請求項９】
前記設定時刻になったことをユーザに報知するアラーム手段をさらに備え、
前記所定の動作は、前記アラーム手段の動作であることを特徴とする請求項１に記載の通信装置。
【請求項１０】
前記アラーム手段が、ユーザへの報知動作を所定の時間間隔で繰り返すスヌーズ機能を備え、
前記マナーモード制御手段は、前記アラーム手段のスヌーズ機能が動作している間、マナーモードを解除することを特徴とする請求項９に記載の通信装置。
【請求項１１】
外部装置と通信を行う通信部を備え、
前記マナーモード制御手段がマナーモードを解除したとき、前記通信部を通信可能な状態にする通信制御手段をさらに備えたことを特徴とする請求項９または１０に記載の通信装置。
【請求項１２】
ユーザ操作を取得可能な操作取得手段をさらに備え、
前記マナーモード制御手段は、前記操作取得手段がユーザ操作を取得した場合には、マナーモードを解除しないことを特徴とする請求項９に記載の通信装置。
【請求項１３】
所定のデータを外部から受信する受信部をさらに備え、
前記所定の動作は、前記受信部の動作であることを特徴とする請求項１に記載の通信装置。
【請求項１４】
マナーモード機能を備えた通信装置の制御方法であって、
マナーモードが設定されている状態で、予め設定された設定時刻以降に所定の動作が行われたか否かを判定する動作判定ステップと、
前記動作判定ステップにて前記設定時刻以降に所定の動作が行われたと判定したとき、マナーモードを解除するマナーモード制御ステップとを含むことを特徴とする通信装置の制御方法。
【請求項１５】
請求項１から１３のいずれか１項に記載の通信装置の上記各手段としてコンピュータを機能させるための通信プログラム。
【請求項１６】
請求項１５に記載の通信プログラムを記録したコンピュータ読み取り可能な記録媒体。
【発明の詳細な説明】
【技術分野】
【０００１】
本発明は、マナーモード機能を備えた通信装置、通信装置の制御方法、通信プログラム、記録媒体に関するものである。
【背景技術】
【０００２】
従来、携帯電話機では、スピーカからのリンガー音、表示素子の点滅、あるいはバイブレータの振動などによって、着信を報知する。しかし、公共交通機関、劇場、会議室などにおいては、着信の報知を行わないようにする必要がある。また、例えば夜中にかかってきた電話によって睡眠が妨げられないように、着信の報知を行わないようにしたいときがある。そのため、従来の携帯電話機には、マナーモード（あるいは、サイレントモード、ナイトモード等と呼ばれることもある）といった、着信の報知を抑制するモード（機能）を備えているものがある。
【０００３】
なお、本願発明に関連する先行技術文献としては、次の特許文献１〜４がある。
【０００４】
例えば、特許文献１には、アラーム音を、マナーモードや消音モード下でも通常通り自動的に発生させることができる携帯電話機のアラーム通知装置が記載されている。具体的には、この携帯電話機のアラーム通知装置は、設定したアラーム時刻に達すると、その時の使用形態がマナーモードまたは消音モードであっても、判定手段が携帯電話機のアラーム機能を目覚まし時計として使用していると判断した場合、強制鳴動手段が作動してサウンダ部からアラーム音を強制的に鳴らし、暗証番号が押されたときアラーム解除手段が作動して強制鳴動手段を停止させアラーム音を解除する。
【０００５】
また、特許文献２には、重要なスケジュールを忘れさせないように報知することができる無線選択呼出受信機が記載されている。具体的には、この無線選択呼出受信機は、アラーム時刻設定部のスイッチ操作によりアラーム時刻を入力し、アラーム機能を“ＯＮ”状態にすると、アラーム設定時刻と現在時刻を比較し、一致すると、サイレントモードが設定されていない場合は、そのまま鳴音動作を行う。一方、サイレントモードが設定されている場合には、サイレントモード中の携帯者の設定モードを確認し、鳴音モードが設定されている場合には、鳴音させる。サイレントモード解除後に鳴音動作させるモードに設定されている場合には、サイレントモード解除時に鳴音動作される。サイレントモードが保持されている場合には、ＬＥＤとＬＣＤ表示器とによってのみ報知される。
【０００６】
また、特許文献３には、ナイトモードに設定された携帯電話装置に着信があった場合、状態がナイトモードに設定されているかどうか判別し、ナイトモードに設定されているときは、予め使用者によって設定され、メモリに蓄積された着信種別に応じた着信方法を取得して通報を行う携帯電話装置が記載されている。そして、従来はナイトモード等に設定すると、すべての着信通報がなされなくなるため、着信種別に応じた柔軟な着信通報抑制ができなかったが、この携帯電話装置によれば、使用者がナイトモード時に、特定の着信種別だけ着信報知するように設定した場合は、その特定の着信種別の着信があったときには、ナイトモード時であっても、着信報知がなされる。
【０００７】
また、特許文献４には、緊急呼び出しが必要な時に、マナーモード等により呼び出しが制限されていても、発呼者、着呼者両方が期待する呼び出しを可能にする情報携帯端末装置が記載されている。具体的には、この情報携帯端末装置は、予め発信者番号に対応した複数の呼び出しモードを設定しておき、発信者番号に対応した特定の発信者からの着信があり、かつ緊急呼び出しが必要な時にはマナーモードを解除し、発信者が緊急度に応じて選択した呼び出しモードで呼び出し報知を行う。そして、呼び出しモードには、少なくとも表示のみにより呼び出し報知を行うモード、表示とバイブ振動により呼び出し報知を行うモード、表示とバイブ振動と鳴音小により呼び出し報知を行うモードおよび表示とバイブ振動と鳴音大により呼び出し報知を行うモードのいずれか１つを含む。
【特許文献１】特開２００３−０６６１７２号公報（公開日：平成１５（２００３）年３月５日）
【特許文献２】特開平９−０２７９８０号公報（公開日：平成９（１９９７）年１月２８日）
【特許文献３】特開２００１−０２５０６３号公報（公開日：平成１３（２００１）年１月２６日）
【特許文献４】特開２００２−１５２３２３号公報（公開日：平成１４（２００２）年５月２４日）
【特許文献５】特開２００１−２８５４１２号公報（公開日：平成１３（２００１）年１０月１２日）
【特許文献６】特開２００２−１０１１５８号公報（公開日：平成１４（２００２）年４月５日）
【発明の開示】
【発明が解決しようとする課題】
【０００８】
上記従来の構成では、上記のマナーモード等に設定すると、すべての着信で着信音が鳴らなくなるため、着信に気づかないことが多い。
【０００９】
ここで、例えば、就寝時に携帯電話機をマナーモードにして、夜中にかかってきた電話によって睡眠が妨げられないようにしている場合がある。また同時に、携帯電話機のアラーム機能を使って、目覚ましのアラームを設定している場合がある。しかし、マナーモードに設定して就寝した後、アラームに気づかず寝過ごしてしまった場合、知人などが電話連絡してもマナーモードのために着信音が鳴らず、気がつかないことがある。つまり、従来の携帯電話機では、マナーモードに設定して就寝した後、アラームに気づかず寝過ごしてしまった場合、モーニングコールを受けることができなかった。
【００１０】
よって、上記のような場合でもモーニングコールを受けられるようにするためには、アラーム（目覚まし）等の所定の動作に連動してマナーモードを解除する機能が必要である。すなわち、携帯電話機には、設定時刻以降の所定の動作をトリガーにして、マナーモードを解除する機能が求められている。
【００１１】
本発明は、上記の問題点に鑑みてなされたものであり、その目的は、設定時刻以降の所定の動作によってマナーモードを解除することができる通信装置、通信装置の制御方法、通信プログラム、記録媒体を実現することにある。
【課題を解決するための手段】
【００１２】
上記課題を解決するために、本発明に係る通信装置は、マナーモード機能を備えた通信装置であって、マナーモードが設定されている状態で、予め設定された設定時刻以降に所定の動作が行われたか否かを判定する動作判定手段と、前記動作判定手段によって前記設定時刻以降に所定の動作が行われたと判定されたとき、マナーモードを解除するマナーモード制御手段とを備えたことを特徴としている。
【００１３】
また、本発明に係る通信装置の制御方法は、マナーモード機能を備えた通信装置の制御方法であって、マナーモードが設定されている状態で、予め設定された設定時刻以降に所定の動作が行われたか否かを判定する動作判定ステップと、前記動作判定ステップにて前記設定時刻以降に所定の動作が行われたと判定したとき、マナーモードを解除するマナーモード制御ステップとを含むことを特徴としている。
【００１４】
上記の構成によれば、予め設定された設定時刻以降に所定の動作が行われた場合には、マナーモードを解除することができる。ここで、「所定の動作」は、例えば、アラームの鳴動でもよいし、外部からメール等によって特定のデータや信号の受信であってもよい。なお、アラームの場合、予め設定されたアラームの鳴動開始時刻を上記「設定時刻」とすることができる。
【００１５】
よって、時刻と動作との２つの条件が満たされた後では、マナーモードを解除した状態で着信等の報知を行うことができる。例えば、アラームを検知することによってマナーモードを解除した後、外部からの着信を通常どおりに（あるいは、調整された音量で）、ユーザに報知することができる。したがって、ユーザがマナーモードに設定して就寝した後、アラームに気づかず寝過ごしてしまった場合でも、知人などが電話連絡して確実に起こすことができる。また、アラーム後はマナーモードが解除されるので、寝過ごした場合に電話連絡を受ける予定の知人などの電話番号を予め登録しておく必要がない。すなわち、電話連絡をする電話機が制限されない。
【００１６】
さらに、本発明に係る通信装置は、前記マナーモード制御手段は、前記マナーモードを解除してから、予め設定されたマナーモード解除時間経過後に、再びマナーモードに設定することを特徴としている。
【００１７】
上記の構成によれば、さらに、マナーモードが解除されても、マナーモード解除時間経過後に、マナーモードに自動的に復帰することができる。よって、マナーモードを解除したい期間に限って、マナーモードを解除することができる。また、マナーモードに再度設定するために、ユーザが操作する必要がない。
【００１８】
さらに、本発明に係る通信装置は、前記マナーモード制御手段は、前記所定の動作が起動したときにマナーモードを解除すると共に、該所定の動作が終了したときに再びマナーモードに設定することを特徴としている。
【００１９】
上記の構成によれば、さらに、マナーモードが解除されても、マナーモード解除のトリガーとなった動作の終了後に、マナーモードに自動的に復帰することができる。よって、マナーモード解除のトリガーとなる動作の動作中に限って、マナーモードを解除することができる。また、マナーモードに再度設定するために、ユーザが操作する必要がない。
【００２０】
さらに、本発明に係る通信装置は、前記マナーモード制御手段は、前記マナーモードを解除したとき、マナーモード時に無効化される機能の一部を有効化することを特徴としている。
【００２１】
上記の構成によれば、さらに、マナーモードを解除したとき、マナーモード時に無効化される機能の一部を有効化することができる。よって、マナーモード解除時に有効になる機能を制限することができる。例えば、アラーム後にモーニングコールを受けることができるように、携帯電話の着信を報知する機能のみを有効にすることができる。
【００２２】
さらに、本発明に係る通信装置は、前記マナーモード制御手段がマナーモードを解除したとき、自装置または自装置が制御可能な外部装置で出力する音の音量を、所定の音量に調整する音量調整手段を備えたことを特徴としている。
【００２３】
上記の構成によれば、さらに、マナーモードを解除したとき、自装置または外部装置から出力される音の音量を調整する。よって、マナーモードが解除されたことを、ユーザに、より明確に認識させることができる。また、音量を大きく調整すれば、マナーモード解除後のメッセージを強調して報知することができる。
【００２４】
さらに、本発明に係る通信装置は、前記マナーモード制御手段がマナーモードを解除したことを、音、振動、表示、光および匂いの少なくとも何れか一つによって報知する報知手段を備えたことを特徴としている。
【００２５】
上記の構成によれば、さらに、マナーモードが解除されたことを、音、振動、表示、光、匂い等の様々な手法でユーザに報知することができる。
【００２６】
さらに、本発明に係る通信装置は、前記マナーモード制御手段がマナーモードを解除したとき、自装置が制御可能な外部装置の機能を起動する起動手段を備えたことを特徴としている。
【００２７】
上記の構成によれば、さらに、マナーモードが解除されたことを、外部装置の起動、例えば、照明装置やテレビ等の電源ＯＮによってユーザに報知することができる。
【００２８】
さらに、本発明に係る通信装置は、前記マナーモード制御手段は、自装置を保持する保持装置に保持されたとき、マナーモードの解除／設定の状態を切り替えることを特徴としている。
【００２９】
上記の構成によれば、さらに、通信装置が保持装置に保持された時、マナーモードを解除または設定することができる。なお、保持装置は、充電器を兼ねていてもよいし、通信のインターフェイス装置を兼ねていてもよい。
【００３０】
さらに、本発明に係る通信装置は、前記設定時刻になったことをユーザに報知するアラーム手段をさらに備え、前記所定の動作は、前記アラーム手段の動作であることを特徴としている。
【００３１】
上記の構成によれば、さらに、予め設定された前記設定時刻にアラームが動作することによって、マナーモードを解除することができる。よって、例えば、ユーザが起きようと思ってアラームを設定したにもかかわらず、アラームに気づかず寝過ごしてしまった場合でも、アラームの鳴動後はマナーモードが解除されているため、電話の着信を通常どおりに（あるいは、調整された大きな音量で）、ユーザに報知することができる。したがって、知人などが電話連絡して確実に起こすことができる。
【００３２】
さらに、本発明に係る通信装置は、前記アラーム手段が、ユーザへの報知動作を所定の時間間隔で繰り返すスヌーズ機能を備え、前記マナーモード制御手段は、前記アラーム手段のスヌーズ機能が動作している間、マナーモードを解除することを特徴としている。
【００３３】
上記の構成によれば、さらに、アラームにスヌーズ機能が設定されている場合、スヌーズ機能が動作している間だけ、マナーモードを解除することができる。よって、スヌーズ機能の動作の終了後、マナーモードに自動的に復帰することができる。また、マナーモードに再度設定するために、ユーザが操作する必要がない。
【００３４】
さらに、本発明に係る通信装置は、外部装置と通信を行う通信部を備え、前記マナーモード制御手段がマナーモードを解除したとき、前記通信部を通信可能な状態にする通信制御手段をさらに備えたことを特徴としている。
【００３５】
上記の構成によれば、さらに、マナーモードを解除したとき、外部装置と通信を行う通信部を通信可能な状態にできる。よって、例えば、ユーザが起きようと思ってアラームを設定したにもかかわらず、アラームに気づかず寝過ごしてしまった場合でも、アラームの鳴動後はマナーモードが解除されて、外部装置との通信が可能な状態になるため、外部装置からの着信を受けることができる。そして、受けた着信を通常どおりに（あるいは、調整された大きな音量で）、ユーザに報知できるため、知人などが電話連絡して確実に起こすことができる。
【００３６】
さらに、本発明に係る通信装置は、ユーザ操作を取得可能な操作取得手段をさらに備え、前記マナーモード制御手段は、前記操作取得手段がユーザ操作を取得した場合には、マナーモードを解除しないことを特徴としている。
【００３７】
上記の構成によれば、さらに、アラーム設定時刻にアラームが動作した場合であっても、マナーモードを解除するまでにユーザがアラームの確認動作をした場合には、マナーモードを解除しないことができる。よって、ユーザがアラームを確認したら、マナーモードを解除する必要がない場合には、不要な解除を行わないようにすることができる。
【００３８】
さらに、本発明に係る通信装置は、所定のデータを外部から受信する受信部をさらに備え、前記所定の動作は、前記受信部の動作であることを特徴としている。
【００３９】
上記の構成によれば、さらに、予め設定された設定時刻以降に、所定のデータを外部から受信することによって、マナーモードを解除することができる。なお、「所定のデータ」は、例えば、特定の電話番号・メールアドレス、ＩＰアドレス、vCalendarのような特定のアプリケーションの特定のデータ等が利用できる。また、マナーモードを解除するために受信すべき特定のデータは、予め設定しておいてもよい。
【００４０】
なお、上記通信装置は、コンピュータによって実現してもよく、この場合には、コンピュータを上記各手段として動作させることにより上記通信装置をコンピュータにて実現させる通信装置の制御プログラム、およびそれを記録したコンピュータ読み取り可能な記録媒体も、本発明の範疇に入る。
【発明の効果】
【００４１】
以上のように、本発明に係る通信装置は、マナーモードが設定されている状態で、予め設定された設定時刻以降に所定の動作が行われたか否かを判定する動作判定手段と、前記動作判定手段によって前記設定時刻以降に所定の動作が行われたと判定されたとき、マナーモードを解除するマナーモード制御手段とを備えた構成である。
【００４２】
また、本発明に係る通信装置の制御方法は、マナーモードが設定されている状態で、予め設定された設定時刻以降に所定の動作が行われたか否かを判定する動作判定ステップと、前記動作判定ステップにて前記設定時刻以降に所定の動作が行われたと判定したとき、マナーモードを解除するマナーモード制御ステップとを含む方法である。
【００４３】
それゆえ、時刻と動作との２つの条件が満たされた後では、マナーモードを解除した状態で着信等の報知を行うことができるという効果を奏する。
【発明を実施するための最良の形態】
【００４４】
本発明の一実施の形態について図１から図５に基づいて説明すれば、以下のとおりである。
【００４５】
本実施の形態では、通信装置１０を、マナーモード機能およびアラーム機能（スヌーズ機能を含む）を備えた携帯電話機として説明する。ただし、本発明に係る通信装置が備える通信機能は携帯電話網を介しての通信に限定されない。
【００４６】
図２は、本発明に係る通信装置１０の一構成例を示すブロック図である。
【００４７】
図２に示すように、通信装置１０は、主制御部１０１、プログラムメモリ１０２、メモリ１０３、通信部（受信部）１０４、通信制御部（通信制御手段）１０５、操作部（操作取得手段）１０６、マイク１０７、スピーカ１０８、音声処理部１０９、主表示部１１０、副表示部１１１、振動モータ１１２、電池１１３、電源制御部１１４、スケジュール処理部１１５を備えて構成されている。
【００４８】
主制御部１０１は、ＣＰＵ（central processing unit）等の演算装置を備え、通信装置１０の全体の制御を行う。主制御部１０１は、例えば、携帯電話としての通信機能、所定の設定時刻に報知動作を行うアラーム機能（目覚まし機能）、メールの送受信を行うメール機能、その他のアプリケーションの機能を実行する。
【００４９】
プログラムメモリ１０２は、主制御部１０１が実行する機能を規定したプログラムを格納するメモリである。
【００５０】
メモリ１０３は、主制御部１０１が各種の機能を実行するために用いるデータを格納するメモリである。メモリ１０３には、例えば、電話番号プリセット、電話帳、メッセージプリセット、住所データ、メール履歴、電話履歴、位置情報、行動履歴、地図情報などのデータが格納される。本実施の形態では、メモリ１０３には、特に、アラーム鳴動後のマナーモード解除動作を登録したアラーム設定テーブル１０３Ａが格納されている。
【００５１】
通信部１０４は、携帯電話網を介して通話相手の携帯電話機と通信するための回路である。
【００５２】
通信制御部１０５は、通信部１０４を制御する回路である。
【００５３】
操作部１０６は、通信装置１０のユーザが操作するためのボタンやダイヤル等であり、タッチパネルを用いてＧＵＩ（Graphical User Interface）によって実現されてもよい。
【００５４】
マイク１０７は、例えば携帯電話をかける際に、通信装置１０のユーザが声を入力するためのマイクである。
【００５５】
スピーカ１０８は、通信装置１０のユーザに対して音声を出力するためのスピーカである。例えば、スピーカ１０８からは、携帯電話が着信したときの着信音や携帯電話の相手の声、アラームの報知音などが出力される。
【００５６】
音声処理部１０９は、マイク１０７およびスピーカ１０８を制御して音声の入出力を行う回路である。
【００５７】
主表示部１１０は、通信装置１０のユーザに画像を表示するための表示部であり、例えば液晶パネルによって実現できる。
【００５８】
副表示部１１１は、主表示部１１０に対して補助的な表示部であり、例えばＬＥＤ（light emitting diode）によるインジケータ等を含む。
【００５９】
振動モータ１１２は、通信装置１０のユーザに情報を振動として提示するための振動源である。振動モータ１１２によって、例えば、マナーモードの時の携帯電話の着信を報知する。
【００６０】
電池１１３は、通信装置１０の各部に電力を供給する電池である。電源制御部１１４は、電池１１３による電力供給を制御する回路である。なお、電池１１３は、通信装置１０が後述する保持装置９２に載置された時、保持装置９２から充電できるようになっていてもよい。
【００６１】
スケジュール処理部１１５は、タイマー（図示せず）に基づき、予め設定された時刻に所定の動作を行うようにスケジュールを管理する。
【００６２】
さらに、通信装置１０は、主カメラ１１６、副カメラ１１７、ＧＰＳ処理部１１８、ＲＦＩＤリーダ１１９、Ｉｒ送信部１２０、Ｉｒ受信部１２１を備えていてもよい。なお、通信装置１０がオプションとして備える、これらの機能は任意に選択可能であって、例えば、ワンセグの受信回路をさらに備えていてもよい。
【００６３】
主カメラ１１６は、静止画または動画を撮像するためのカメラである。
【００６４】
副カメラ１１７は、主カメラ１１６に対して補助的なカメラであり、例えば通信装置１０のユーザの顔を撮像するためのカメラである。
【００６５】
ＧＰＳ処理部１１８は、ＧＰＳ（Global Positioning System）の受信機であり、通信装置１０の現在位置を検知する回路である。
【００６６】
ＲＦＩＤリーダ１１９は、ＲＦＩＤタグから情報を読み取る回路である。
【００６７】
Ｉｒ送信部１２０およびＩｒ受信部１２１は、後述する外部装置９４などと赤外線通信を行うための送信回路および受信回路である。なお、赤外線通信の規格は特に限定されるものではないが、例えばIrSimpleが利用できる。
【００６８】
つぎに、図１は、通信装置１０の構成の概略を示す機能ブロック図である。
【００６９】
図１に示すように、通信装置１０は、アプリケーション実行部１１、報知部（報知手段）１２、タイマー（計時手段）１３、動作判定部（動作判定手段）１４、マナーモード制御部（マナーモード制御手段）１５、外部装置制御部（外部装置制御手段）１６、保持検知部（保持検知手段）１７、アラーム設定テーブル１０３Ａ、通信部１０４、通信制御部１０５、操作部１０６を備えて構成されている。
【００７０】
ここで、アプリケーション実行部１１、タイマー１３、動作判定部１４、マナーモード制御部１５、外部装置制御部１６は、主として主制御部１０１およびプログラムメモリ１０２によって実現され、必要に応じてスケジュール処理部１１５等が利用される。報知部１２は、スピーカ１０８、音声処理部１０９、主表示部１１０、副表示部１１１、振動モータ１１２によって実現される。アラーム設定テーブル１０３Ａ、通信部１０４、通信制御部１０５、操作部１０６は、図１に示した各部材と同じものである。
【００７１】
アプリケーション実行部１１は、通信装置１０が備える各種アプリケーションを実行する。本実施の形態では、アプリケーション実行部１１は、少なくとも、携帯電話による通話を行う通話処理部１１Ａ、設定時刻になったことをユーザに報知するアラーム処理部（アラーム手段）１１Ｂ、電子メールの送受信等を行うメール処理部１１Ｃを備えているものとする。また、アラーム処理部１１Ｂは、ユーザへの報知動作を所定の時間間隔で繰り返すスヌーズ機能を備えているものとする。なお、アプリケーション実行部１１が実行するアプリケーションとしては、通話処理部１１Ａが含まれていれば、他のアプリケーションは任意に選択できる。
【００７２】
報知部１２は、マナーモード制御部１５がマナーモードを解除したことを、音、振動、表示、光および匂いの少なくとも何れか一つによって報知する。これにより、マナーモードが解除されたことを様々な手法でユーザに報知することができる。もちろん、報知部１２は、携帯電話の着信やメールの着信等の報知も行う。
【００７３】
タイマー１３は、アラームの鳴動のタイミングや後述するマナーモードへの復帰のタイミングの決定に利用される。
【００７４】
動作判定部１４は、マナーモードが設定されている状態で、予め設定された設定時刻以降に、所定の動作が行われたか否かを判定する。
【００７５】
ここで、動作判定部１４が判定する所定の動作は、アプリケーション実行部１１のアラーム処理部１１Ｂが設定時刻になったことをユーザに報知する動作であってもよい。この場合、「予め設定された設定時刻」には、アラーム設定時刻が利用できる。これにより、アラームが動作することによって、マナーモードを解除することができる。
【００７６】
また、動作判定部１４が判定する所定の動作は、外部から所定のデータを受信する動作であってもよい。これにより、所定のデータを外部から受信することによって、マナーモードを解除することができる。ここで、所定のデータは、例えば、特定の電話番号・メールアドレス、ＩＰアドレス、特定のアプリケーションのデータ（例えば、アプリケーションがvCalendarであれば、vCalendar用のデータ）が利用できる。なお、所定のデータは、アラーム設定テーブル１０３Ａに予め設定しておくものとする。また、図１では、「外部から所定のデータを受信する動作」を、携帯電話機９６から通信部１０４を介して所定のデータを受信する場合によって例示しているが、外部の装置は携帯電話機９６に限定されず、通信手段としても、Ｉｒ送信部１２０およびＩｒ受信部１２１を用いてもよいし、さらに他の通信手段を用いてもよい。
【００７７】
その他、動作判定部１４が判定する所定の動作は、通信装置１０が保持装置９２に保持される動作であってもよい。そして、動作判定部１４が判定する所定の動作が、外部から所定のデータを受信する動作である場合や、通信装置１０が保持装置９２に保持される動作の場合には、アラームの場合と異なり、「予め設定された設定時刻」を別途設定しておく。
【００７８】
マナーモード制御部（マナーモード制御手段）１５は、動作判定部１４によって設定時刻以降に所定の動作が行われたと判定されたとき、マナーモードを解除する。これにより、例えば、ユーザがマナーモードに設定して就寝した後、アラームに気づかず寝過ごしてしまった場合であっても、アラーム設定時刻以降はマナーモードを解除しているので、モーニングコールの着信を報知して、ユーザを確実に起こすことができる。
【００７９】
また、マナーモード制御部１５は、マナーモードを解除してから、予め設定されたマナーモード解除時間経過後に、再びマナーモードに設定する。これにより、マナーモード解除時間を設定しておくことで、マナーモードが解除されてもマナーモードに復帰することができる。
【００８０】
また、マナーモード制御部１５は、所定の動作が起動したときにマナーモードを解除するとともに、該所定の動作が終了したと動作判定部１４によって判定されたとき、再びマナーモードに設定する。これにより、マナーモードを解除した所定の動作の終了後に、再びマナーモードに復帰することができる。
【００８１】
また、マナーモード制御部１５は、マナーモードを解除したとき、マナーモード時に無効化される機能の一部または全部を有効化する。これにより、マナーモード解除後、一部の機能のみを有効にできる。ここで、上記「一部の機能」としては、例えば、特定の電話番号からの着信のみ、通常通り報知する機能が挙げられる。
【００８２】
さらに、マナーモード制御部１５は、通信装置１０のマナーモードの切り替えに伴い、外部装置制御部１６を介して、外部の外部装置９４の動作を制御する。外部装置９４としては、例えば、通信装置１０がある部屋の照明装置、通信装置１０の近くのテレビやステレオが挙げられる。なお、通信装置１０と外部装置９４との通信は、通信部１０を介して携帯電話網によって行ってもよいが、その他、Ｉｒ送信部１２０およびＩｒ受信部１２１を介して赤外線通信によって行ってもよく、通信方式は限定されない。
【００８３】
特に、マナーモード制御部１５は、外部装置９４の制御のために、音量調整部（音量調整手段）１５Ａおよび起動部（起動手段）１５Ｂを備える。
【００８４】
まず、音量調整部１５Ａは、マナーモード制御部１５がマナーモードを解除したとき、通信装置１０または通信装置１０が制御可能な外部装置９４（例えば、近くのテレビやステレオ）が出力する音の音量を、所定の音量に調整する。これにより、マナーモードが解除後、通信装置１０または外部装置９４からの音の音量を大きく（あるいは、小さく）することができる。よって、音量の変化によって、マナーモードの解除をより明確に報知できるとともに、マナーモード解除後のメッセージをより明確に報知できる。なお、音量調整部１５Ａの制御によって外部装置９４が出力する音の音量を調整する期間を制限してもよい。また、この音量を調整する期間の制限は、音量調整部１５Ａから音量ととともに制御してもよいし、外部装置９４が行ってもよい。
【００８５】
また、起動部１５Ｂは、マナーモード制御部１５がマナーモードを解除したとき、通信装置１０が制御可能な外部装置９４の機能を起動する。これにより、マナーモードが解除されたことを外部装置９４の起動（例えば、部屋の照明装置の点灯）によってユーザに報知することができる。
【００８６】
また、マナーモード制御部１５は、通信装置１０が保持装置９２に保持されたとき、マナーモードの状態（すなわち、解除／設定）を切り替える。これにより、通信装置１０が保持装置９４に保持された時、マナーモードを解除または設定することができる。
【００８７】
また、マナーモード制御部１５は、アラーム処理部１１Ｂのスヌーズ機能が動作している間、マナーモードを解除してもよい。これにより、スヌーズ機能が設定されている場合にマナーモードを解除することができる。
【００８８】
また、マナーモード制御部１５は、動作判定部１４が検知した所定の動作の終了後にマナーモードを解除する場合には、ユーザ操作を取得する操作部１０６がユーザ操作を取得した際、マナーモードを解除しないようにすることもできる。これにより、例えば、アラームの鳴動中にユーザがアラーム確認の操作を行えば、マナーモードを解除せずに継続することができる。
【００８９】
保持検知部１７は、いわゆるクレードルである保持装置９２に通信装置１０が載置されたことを検知し、その検知結果を動作判定部１４に通知するセンサである。なお、保持装置９２は、通信装置１０が載置されたとき、通信装置１０の電池１１３を充電する充電器であってもよい。また、保持装置９２は、通信装置１０が載置されたとき、ＰＬＣ等と接続する通信インターフェイス装置であってもよい。これにより、保持装置９２の載置をトリガーとして、マナーモードの切り替えと通信の接続とを連携させることが可能となる。
【００９０】
ここで、通信制御部（通信制御手段）１０５は、マナーモード制御部１５がマナーモードを解除したとき、外部装置９４と通信を行うための通信部１０４を通信可能な状態にする。これにより、電波ＯＦＦモード（フライトモード）になっていても、これを解除して、例えば他人からのモーニングコールを受信可能な状態にできる。
【００９１】
つぎに、図３を参照しながら、通信装置１０がマナーモードを解除する動作について説明する。図３は、通信装置１０の動作を示すフローチャートである。なお、図３のフローチャートの処理に先立って、アラームの基本情報の入力、およびマナーモードの設定はされているものとする。また、以下の説明中のｆ１等の符号は、後述する図４、図５に示すアラーム設定テーブル１０３Ａのデータを示す。
【００９２】
まず、アラーム処理部１１Ｂがタイマー１３を参照して、アラーム設定テーブル１０３Ａに設定されているアラーム設定時刻（ｆ１）になったことを検知する。そして、動作判定部１４が、アラーム設定時刻にアラーム処理部１１Ｂが処理を開始したことを検知する（Ｓ１１；動作判定ステップ）。なお、アラームの鳴動開始時にマナーモードを解除する場合、アラーム設定時刻になったことの検知が、マナーモードの解除の条件として予め設定された設定時刻になったことの検知と、マナーモードの解除の条件として予め設定された所定の動作が行われたことの検知となる。
【００９３】
つぎに、動作判定部１４の検知結果を受けて、マナーモード制御部１５が、アラーム設定テーブル１０３Ａにマナーモードの解除の設定（ｆ２）がされているか否かを判定する（Ｓ１２）。そして、マナーモードの解除の設定がなければ（ｆ２＝ＯＦＦ；Ｓ１２でＮｏ）、マナーモードを解除しない。
【００９４】
一方、アラーム設定テーブル１０３Ａにマナーモードの解除の設定があれば（ｆ２＝ＯＮ；Ｓ１２でＹｅｓ）、マナーモード制御部１５は、アラーム設定テーブル１０３Ａの設定（ｆ７等）に従って、マナーモードを解除する（Ｓ１３；マナーモード制御ステップ）。その結果、アラーム処理部１１Ｂの制御に従って、報知部１２によってアラームの鳴動が行われる（Ｓ１４）。
【００９５】
つぎに、マナーモード制御部１５が、アラーム設定テーブル１０３Ａに、ユーザによるアラーム確認操作（例えば、ボタン押下）を検知した時にマナーモードに復帰する設定がされているか否かを判定する（Ｓ１５）。そして、ユーザによるアラーム確認操作時にマナーモードに復帰する設定になっていれば（ｆ３＝ＯＦＦ；Ｓ１５でＹｅｓ）、ステップＳ１６へ進み、なっていなければ（ｆ３＝ＯＮ；Ｓ１５でＮｏ）、ステップＳ１８へ進む。
【００９６】
つづいて、ステップＳ１６において、アラーム処理部１１Ｂが操作部１０６を介して、アラームの鳴動中にユーザによるアラーム確認の操作を検知すれば（Ｓ１６でＹｅｓ）、アラーム処理部１１Ｂがアラームの鳴動を終了させる。このとき、マナーモード制御部１５は、マナーモードに設定し、その旨をアプリケーション実行部１１および報知部１２に通知する（Ｓ１７）。一方、アラーム処理部１１Ｂがアラーム鳴動中にユーザによるアラーム確認の操作を検知しなければ（Ｓ１６でＮｏ）、ステップＳ１８へ進む。
【００９７】
つぎに、マナーモード制御部１５が、アラーム設定テーブル１０３Ａに、マナーモードの解除をアラーム時のみ解除する設定がされているか否かを判定する（Ｓ１８）。そして、アラーム時のみ解除する設定であれば（ｆ５＝ＯＮ（アラーム中のみ）；Ｓ１８でＹｅｓ）、アラーム処理部１１Ｂによるアラームの鳴動が終了した後に、マナーモード制御部１５は、マナーモードに設定し、その旨をアプリケーション実行部１１および報知部１２に通知する（Ｓ１９）。一方、アラーム時のみ解除する設定でなければ（ｆ２＝ＯＦＦ；Ｓ１８でＮｏ）、ステップＳ２０へ進む。
【００９８】
つぎに、マナーモード制御部１５が、アラーム設定テーブル１０３Ａに、マナーモードの解除をスヌーズ期間のみ解除する設定がされているか否かを判定する（Ｓ２０）。スヌーズ期間のみ解除する設定であれば（ｆ８＝ＯＮ；Ｓ２０でＹｅｓ）、アラーム処理部１１Ｂによるスヌーズ動作が終了した後に、マナーモード制御部１５は、マナーモードに設定し、その旨をアプリケーション実行部１１および報知部１２に通知する（Ｓ２１）。なお、スヌーズ期間とは、アラームの一時停止機能が有効である期間である。すなわち、スヌーズ期間は、アラーム設定時刻に開始し、アラームが完全に停止させられたときに終了する。スヌーズ期間中は、アラームを完全に停止させる操作を受け付けるまで、(i)アラームの鳴動、(ii)ユーザによるアラーム確認の操作（例えば、ボタン押下）の検知、(iii)所定時間アラームの鳴動を停止、(iv)アラームの鳴動を再開、の動作を繰り返す。
【００９９】
一方、スヌーズ期間のみ解除する設定でなければ（ｆ８＝ＯＦＦ；Ｓ２０でＮｏ）、マナーモード制御部１５が、アラーム設定テーブル１０３Ａに、マナーモード解除の制限時間が設定されているか否かを判定する（Ｓ２２）。マナーモード解除の制限時間（マナーモード解除時間）が設定されていなければ（ｆ５＝ＯＦＦ；Ｓ２２でＮｏ）、マナーモード制御部１５は、アラームの停止後もマナーモードを解除した状態を維持する。一方、マナーモード解除の制限時間が設定されていれば（ｆ５＝ＯＮ；Ｓ２２でＹｅｓ）、マナーモード制御部１５は、マナーモードが解除されてから上記制限時間の経過後、マナーモードに設定し、その旨をアプリケーション実行部１１および報知部１２に通知する（Ｓ２３）。
【０１００】
以上の動作により、アラーム設定時間以降、アラーム設定テーブル１０３Ａの設定に従ってマナーモードが解除される。よって、例えば携帯電話の着信についてマナーモードが解除されていれば、外部からの着信を通常どおりに（あるいは、調整された大きな音量で）、ユーザに報知される。したがって、マナーモードに設定して就寝した後、アラームに気づかず寝過ごしてしまった場合でも、知人などが電話連絡して確実に起こすことができる。
【０１０１】
ここで、図３では、マナーモードを解除するタイミングがアラームの鳴動開始時である場合について説明したが、通信装置１０では、マナーモードを解除するタイミングを、アラームの鳴動開始から所定時間後、アラームの鳴動終了時、あるいはアラームの鳴動終了から所定時間後にしてもよい。
【０１０２】
また、マナーモードの解除のタイミングをアラームの鳴動終了後とし、アラームが鳴動中にユーザによって止められた場合にはマナーモードを解除せず、止められなかった場合のみマナーモードを解除するようにしてもよい。これにより、マナーモードをできるだけ維持しておくことができる。
【０１０３】
また、図３では、マナーモードの解除の条件となる所定の動作がアラームの鳴動である場合について説明したが、通信装置１０では、マナーモードの解除の条件となる所定の動作はアラームに限定されず、メールや他のアプリケーションが特定のデータを受信したことであってもよい。
【０１０４】
そして、メールや他のアプリケーションが特定のデータを受信したことを所定の動作とする場合、動作判定部１４は、まず、設定時間になったことを検知し、その後、条件に設定されているアプリケーションが特定のデータを受信したことを検知する（動作判定ステップ）。そして、この特定のデータを受信したことの検知結果をマナーモード制御部１５に通知することによって、マナーモード制御部１５がマナーモードを解除する（マナーモード制御ステップ）ことになる。
【０１０５】
つぎに、図４および図５を参照しながら、通信装置１０が用いるアラーム設定テーブル１０３Ａの具体例について説明する。
【０１０６】
（１）図４は、通信装置１０が用いるアラーム設定テーブル１０３Ａの一例を示すテーブルである。なお、下記説明の〔〕内の記載は設定例を示す。
【０１０７】
図４の例は、スヌーズ付のアラームで、アラーム時にマナーモードを解除して、その旨をポップアップ表示するとともに、電波ＯＦＦモードを解除し、アラーム鳴動後にワンセグを起動する場合の設定を示している。
【０１０８】
アラーム設定（ｆ１）には、アラームの動作に関する設定が記述されている。具体的には、アラームを鳴動させる時刻〔午前８時〕、鳴らす音の種類〔Ringer1〕、振動させるか否か〔バイブＯＮ〕、表示するメッセージ〔朝だよ〕、アラーム音の音量〔Level5〕、鳴動させる時間〔９０秒〕、表示する画像〔0001.jpg〕、電源ＯＦＦの動作〔起動（後にアラーム鳴動）〕などが記述される。
【０１０９】
図４の例では、アラーム設定時刻の午前８時に、Ringer1という音をLevel5の音量で鳴らし、振動させ、「朝だよ」というメッセージと0001.jpgの画像を表示する動作を９０秒間行うことが記述されている。また、アラーム設定時刻に電源がオフであった場合には、起動してからこれらの動作を行うことが記述されている。
【０１１０】
マナーモード解除機能（ｆ２）には、マナーモード解除機能を有効にするか否かが記述されている。図４の例では、マナーモード解除機能が有効〔ＯＮ〕に設定されている。
【０１１１】
アラーム確認時のマナーモード解除（ｆ３）には、ユーザがアラーム確認の操作をした時にマナーモードに復帰するか否かが記述されている。図４の例では、ユーザによるアラーム確認操作を検知した時にはマナーモードに復帰する〔ＯＦＦ〕ように設定されている。
【０１１２】
スヌーズ設定（ｆ４）には、アラームのスヌーズ機能を有効にするか否かが記述されている。図４の例では、スヌーズ機能が有効〔ＯＮ〕に設定されている。
【０１１３】
マナーモード解除設定（ｆ５）には、マナーモードの解除に関する設定が記述されている。図４の例では、マナーモードを解除する時間を制限すること〔ＯＮ〕、および、その解除時間（マナーモード解除時間）〔６０秒〕が設定されている。なお、解除時間には、マナーモードの解除をアラーム中のみに制限するための、「アラーム中のみ」を設定することもできる。
【０１１４】
マナーモード解除対象イベント（ｆ６）には、アラーム設定テーブル１０３Ａの設定に従ってマナーモードを解除する際、マナーモードを解除するイベントを指定する設定が記述されている。図４の例では、全てのイベント（具体的には、携帯電話の着信、メール、ＷＥＢ、Ｂｌｕｅｔｏｏｔｈ通信、Ｉｒ通信、ＰＬＣ通信、○○通信）に対するマナーモードの設定が解除されるように設定されている。
【０１１５】
マナーモード解除の表示（ｆ７）には、マナーモードを解除した時の報知動作に関する設定が記述されている。具体的には、鳴らす音の種類〔Ringer1〕、振動させるか否か〔バイブＯＮ〕、表示するメッセージ〔マナーモードをＯＦＦにしました〕、報知音の音量〔Level5〕、報知する時間〔１０秒〕、表示する画像〔ＯＦＦ（なし）〕、放置後に電源をＯＦＦするか否か〔ＯＦＦ（電源ＯＦＦしない）〕、外部装置への制御内容〔蛍光灯をＯＮ〕などが記述される。
【０１１６】
図４の例では、マナーモードの解除時に、Ringer1という音をLevel5の音量で鳴らし、振動させ、「マナーモードをＯＦＦにしました」というメッセージを表示する動作を１０秒間行うことが記述されている。また、部屋の蛍光灯を点灯することが記述されている。
【０１１７】
アラーム、スヌーズ時のマナーモード解除（ｆ８）には、アラームのスヌーズ期間後にマナーモードに復帰するか否かが記述されている。図４の例では、スヌーズ期間後にマナーモードの解除を維持する〔ＯＦＦ〕ように設定されている。
【０１１８】
起動アプリケーション（ｆ９）には、マナーモードの解除時に起動するアプリケーションに関する設定が記述されている。図４の例では、マナーモードの解除後にワンセグを表示するアプリケーションを〔ワンセグ〕、６チャンネル〔６ｃｈ〕を選択した状態で起動することが設定されている。
【０１１９】
電波ＯＦＦモードからの復帰（ｆ１０）には、電波を受信しない電波ＯＦＦモードのときにマナーモードを解除する際、電波を受信する電波ＯＮモードに変更するか否かの設定が記述されている。図４の例では、電波ＯＮモードへ復帰する〔ＯＮ〕ように設定されている。
【０１２０】
着信・受信によるマナーモード解除手段（ｆ１１）には、アラーム以外にマナーモードを解除する条件が記述されている。図４の例では、アラーム設定設定時刻（ｆ１）以降に、(i)xxx@a.co.jpからメールを受信したら、(ii)題名が「起きろ！！」メールを受信したら、(iii)"090 1234 5678、070 1234 8765、060 4321 5678、082 123 4567"から着信したら、(iv)vCalendarのデータを受信したら、マナーモードを解除するように設定されている。
【０１２１】
充電器との連携（ｆ１２）には、充電器（保持装置９２）に通信装置１０が載置された時にマナーモードを解除するか否かの設定が記述されている。図４の例では、充電器に通信装置１０が載置された時にマナーモードの切り替えを行うこと〔ＯＮ〕、および、その内容がマナーモードの解除であること〔ＯＮ（充電器にあるとき、マナーモードを解除する）〕が設定されている。
【０１２２】
（２）図５は、通信装置１０が用いるアラーム設定テーブル１０３Ａの他の例を示すテーブルである。なお、下記説明の〔〕内の記載は設定例を示す。
【０１２３】
図５の例は、スヌーズ付のアラームで、アラーム時にマナーモードを着信のみ解除して、その旨をポップアップ表示するとともに、電波ＯＦＦモードを解除し、アラームを鳴動させた後、マナーモードの解除を維持する場合の設定を示している。
【０１２４】
図５の例では、アラーム設定（ｆ１）には、アラーム設定時刻の午前８時に、Ringer1という音をLevel5の音量で鳴らし、振動させ、「朝だよ」というメッセージと0001.jpgの画像を表示する動作を９０秒間行うことが記述されている。また、アラーム設定時刻に電源がオフであった場合には、起動してからこれらの動作を行うことが記述されている。
【０１２５】
マナーモード解除機能（ｆ２）には、マナーモード解除機能が有効〔ＯＮ〕に設定されている。
【０１２６】
アラーム確認時のマナーモード解除（ｆ３）には、ユーザによるアラーム確認操作を検知した時にはマナーモードを解除状態にしておく〔ＯＦＦ〕ように設定されている。
【０１２７】
スヌーズ設定（ｆ４）には、スヌーズ機能が有効〔ＯＮ〕に設定されている。
【０１２８】
マナーモード解除設定（ｆ５）には、マナーモードを解除する時間を制限しないこと〔ＯＦＦ〕が設定されている。
【０１２９】
マナーモード解除対象イベント（ｆ６）には、アラーム設定テーブル１０３Ａの設定に従ってマナーモードを解除する際には、携帯電話の着信に対するマナーモードの設定のみを解除するように設定されている。
【０１３０】
マナーモード解除の表示（ｆ７）には、マナーモードの解除時に、Ringer1という音をLevel5の音量で鳴らし、振動させ、「マナーモードをＯＦＦにしました」というメッセージを表示する動作を１０秒間行うことが記述されている。また、近くにあるＴＶディスプレイに対して上記のメッセージを表示させるとともに、上記のRinger1という音を出力させることが記述されている。
【０１３１】
アラーム、スヌーズ時のマナーモード解除（ｆ８）には、スヌーズ期間後にマナーモードに復帰する〔ＯＮ〕ように設定されている。
【０１３２】
起動アプリケーション（ｆ９）には、マナーモードの解除後にアプリケーションを起動しない〔ＯＦＦ〕ことが設定されている。
【０１３３】
電波ＯＦＦモードからの復帰（ｆ１０）には、電波ＯＮモードへ復帰する〔ＯＮ〕ように設定されている。なお、上記のようにアラーム鳴動後はマナーモードへ復帰するように設定されているため、ネットワークに接続して処理を終了した後、電波ＯＦＦモードへ復帰するようにしてもよい。
【０１３４】
着信・受信によるマナーモード解除手段（ｆ１１）には、アラーム以外にマナーモードを解除する条件は設定されていない〔ＯＦＦ〕。
【０１３５】
充電器との連携（ｆ１２）には、充電器に通信装置１０が載置された時にマナーモードの切り替えを行うこと〔ＯＮ〕、および、その内容がマナーモードの解除であること〔ＯＮ（充電器にあるとき、マナーモードを解除する）〕が設定されている。
【０１３６】
なお、図４および図５に示したアラーム設定テーブル１０３Ａの設定は一例であり、これに限定されるものではない。また、アラーム設定テーブル１０３Ａを書き換え可能な記憶媒体に格納しておき、通信装置１０の操作部１０６を介してユーザにより、あるいは、通信部１０４を介して外部から、設定を変更可能に構成することもできる。
【０１３７】
ここで、アラーム以外の動作によるマナーモードの解除について説明する。
【０１３８】
メールなどによるマナーモード解除は、アラームによるマナーモード解除が設定がされていない場合と、アラームによるマナーモード解除が設定されている場合との両方がある。
【０１３９】
(i)アラームによる解除が設定がされていない場合
アラームによる解除が設定がされていない場合、すなわち、マナーモード解除の条件となる動作として、メールなどのアラーム以外の動作のみが設定されている場合、設定時刻を過ぎてもマナーモードを維持し、所定の動作（例えば、メール受信）を検知した時点で、マナーモードを解除する。そして、マナーモード解除の制限時間（マナーモード解除時間）が設定されていれば（図４、図５のｆ５）、上記所定の動作の検知によってマナーモードが解除されてから上記制限時間の経過後、マナーモードに復帰する。これにより、アラームが設定されていない場合であっても、設定時刻以降の所定の動作をトリガーとしてマナーモードを解除することができる。例えば、通信装置１０のユーザがアラームを設定せずに寝過ごしてしまった場合であっても、設定時刻以降に友人などがメールを送信することにより、マナーを解除することができるため、モーニングコールをかけてユーザを確実に起こすことが可能となる。
【０１４０】
(ii)アラームによる解除が設定がされている場合
アラームによる解除が設定がされている場合、すなわち、マナーモード解除の条件となる動作として、アラームとともに、メールなどのアラーム以外の動作が設定されている場合、まず、設定時刻にアラームが鳴動した後、マナーモード解除の制限時間（マナーモード解除時間）（図４、図５のｆ５）経過後にマナーモードに復帰する。その後、所定の動作（例えば、メール受信）を検知した時点で、マナーモードを解除する。これにより、アラームに加えて、メールなどのアラーム以外の動作によっても、マナーモードを解除することができる。例えば、通信装置１０のアラームが鳴動した後で、ユーザが二度寝してしまった場合でも、アラームの設定時刻以降に友人などがメールを送信することにより、マナーを解除することができるため、モーニングコールをかけてユーザを確実に起こすことが可能となる。
【０１４１】
この場合にメールなどによってマナーモード解除された後は、マナーモード解除の制限時間（マナーモード解除時間）が設定されていれば（図４、図５のｆ５）、所定の動作の検知によってマナーモードが解除されてから上記制限時間の経過後、マナーモードに復帰することができる。なお、アラームでマナーモードを解除している間にメールによるトリガーがかかった場合には、上記の制限時間（マナーモード解除時間）だけ、マナーモードを解除する期間を延長してもよい。
【０１４２】
なお、制限時間（マナーモード解除時間）は、アプリケーション毎に設定してもよい。同様に、所定の動作の検知を開始する設定時刻も、アプリケーション毎に設定してもよい。すなわち、メールを受信したらマナーモードを解除する基準となる設定時刻を、アラームが報知動作を始める設定時刻とは別に設定してもよい。
【０１４３】
つぎに、メールなどのアプリケーションの「特定のデータ」について説明する。なお、vCalendarのデータを例に説明するが、「特定のデータ」は、あらかじめアラーム設定テーブル１０３Ａに登録しておくことで、トリガーの発生が検知できるものであればよく、vCalendarのデータに限定されない。
【０１４４】
上述したように、図４、５のｆ１１では、マナーモードを解除するトリガーとして、vCalendarのデータを受信することを記載している。このvCalendarとは、スケジュールデータを他の装置へ送受信する際に使われるデータフォーマットの代表的なものであり、多くの携帯電話、携帯端末、ＰＣに使われている。
【０１４５】
図４、５の例では、特定のユーザ（例えば、通信装置１０のユーザの友人）から、vCalendarデータを受信した時点にマナーモードを解除する。ただし、マナーモードを解除するタイミングは、vCalendarデータを受信した時点から所定時間後でもよい。さらに、vCalendarのデータにマナーモードを解除する設定時刻、例えば、“８月２２日午前６時起床”という起床時間を示す日程のデータが記載されていると、８月２２日午前６時から、図４、図５の“ｆ５”で設定されている解除時間（マナーモード解除時間）〔６０秒〕だけマナーモードを解除するようにしてもよい。
【０１４６】
このように、vCalendar自身にはマナーモードを解除するデータを付加することができないので、vCalendarデータを受信したタイミングや、記載されたvCalendarデータの内容に従って、マナーモードを解除する設定時刻を決定してもよい。
【０１４７】
また、送信者を特定できる状態でvCalendarのデータを受信した場合に限定してマナーモードを解除することが好ましい。具体的には、メールの添付や、BluetoothまたはＩＰ通信（ＰＬＣを含む）によってvCalendarのデータを受信した場合には、マナーモードを解除する。一方、vCalendarデータはＩｒ（赤外線通信）でも送信できるが、その場合は送信者を特定できないため、Ｉｒでの受信はマナーモードの解除のトリガーとはしない。
【０１４８】
このように、通信装置１０によれば、特定のメール（例えば、特定のキーワードがタイトルに記載されたメールやvCalendarのデータが添付されたメール）や電話番号をトリガーにして、マナーモードを解除することで、モーニングコールの受信など通常の報知動作を可能とすることにより、ユーザの寝過ごしを防止することができる。
【０１４９】
なお、通信装置１０の各ブロック、特にアプリケーション実行部１１、動作判定部１４、マナーモード制御部１５は、ハードウェアロジックによって構成してもよいし、次のようにＣＰＵを用いてソフトウェアによって実現してもよい。
【０１５０】
すなわち、通信装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである通信装置１０の制御プログラムのプログラムコード（実行形式プログラム、中間コードプログラム、ソースプログラム）をコンピュータで読み取り可能に記録した記録媒体を、上記通信装置１０に供給し、そのコンピュータ（またはＣＰＵやＭＰＵ）が記録媒体に記録されているプログラムコードを読み出し実行することによっても、達成可能である。
【０１５１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５２】
また、通信装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５４】
本発明に係る携帯電話機は、マナーモード設定（アラーム（目覚まし）やタスク、スケジュール機能）後にアラームが起動・鳴動した際、マナーモードが解除されるように構成されていてもよい。
【０１５５】
また、本発明に係る携帯電話機は、マナーモードの解除は予め決められたルールによって変更可能であるように構成されていてもよい。
【０１５６】
さらに、本発明に係る携帯電話機は、携帯電話機のボタンを押す等によって、アラームをユーザが確認した場合、マナーモードが継続するように構成されていてもよい。
【０１５７】
さらに、本発明に係る携帯電話機は、スヌーズ機能が働いている間のみ、マナーモードを解除するように構成されていてもよい。これにより、他人からのモーニングコールによって通常の着信報知を行うことができる。
【０１５８】
さらに、本発明に係る携帯電話機は、アラーム鳴動後のマナーモード解除時間を設定できるように構成されていてもよい。
【０１５９】
さらに、本発明に係る携帯電話機は、マナーモードを解除する際は“着信のみ鳴動する”など一部制限付の解除が可能であるように構成されていてもよい。
【０１６０】
さらに、本発明に係る携帯電話機は、アラームで特定のアプリケーションを起動する場合、そのアプリケーションのみ“マナーモードを適用しない”設定が可能であるように構成されていてもよい。これにより、例えば、アラームで携帯電話機のワンセグを起動した際、ワンセグの音声を出力することができる。
【０１６１】
さらに、本発明に係る携帯電話機は、アラームで特定のアプリケーションを起動した場合、そのアプリケーションを起動している間のみマナーモードを解除し、アプリケーションの終了後にマナーモードに復帰するように構成されていてもよい。
【０１６２】
さらに、本発明に係る携帯電話機は、電波オフ（フライトモード）時、マナーモード解除の間のみ電波オフ（フライトモード）を解除するように構成されていてもよい。
【０１６３】
さらに、本発明に係る携帯電話機は、指定時間後は決められたプロファイル（マナーモードやドライブモード）に切り替え可能であるように構成されていてもよい。
【０１６４】
さらに、本発明に係る携帯電話機は、特定の電話番号、メールアドレス、ＩＰアドレス、vCalendar等の特定のデータの受信をトリガーとして設定しておくことで、その番号やデータの着信・通知があればマナーモードを解除できるように構成されていてもよい。
【０１６５】
さらに、本発明に係る携帯電話機は、マナーモードが解除された際、設定値より大きな音で呼び出し音を鳴らすように構成されていてもよい。
【０１６６】
さらに、本発明に係る携帯電話機は、他の機器（ステレオ、ＴＶ、その他電話機など）で呼び出し音を発信する際も通常の呼び出し音より大きな音で鳴動するように構成されていてもよい。
【０１６７】
さらに、本発明に係る携帯電話機は、大きな音での鳴動する期間をユーザが設定することが可能であるように構成されていてもよい。
【０１６８】
さらに、本発明に係る携帯電話機は、マナーモード解除後のユーザへの通知に音・文字表示・光、匂いを用い、ユーザが独自に設定することが可能であるように構成されていてもよい。
【０１６９】
さらに、本発明に係る携帯電話機は、ＰＬＣ（Power Line Communications）や家庭内ＬＡＮ（Local Area Network）などで家庭内のネットワークが構築されている場合、特定の機器（ＴＶやエアコン）が起動することも通知できるように構成されていてもよい。
【０１７０】
さらに、本発明に係る携帯電話機は、充電器に置いた場合にのみ、上記機能が有効もしくは無効に設定可能であるように構成されていてもよい。
【０１７１】
さらに、本発明に係る携帯電話機は、ＰＬＣなど充電器にネットワークがつながっている場合、マナーモードの解除を他の携帯電話機機から設定することができるように構成されていてもよい。
【産業上の利用可能性】
【０１７２】
本発明は、予め設定された設定時刻以降に所定の動作（アラーム鳴動やメール受信等）が行われた場合に、マナーモードを解除することができるため、マナーモード機能を備えた携帯電話機等の通信装置に広く適用できる。
【図面の簡単な説明】
【０１７３】
【図１】本発明の実施の形態に係る通信装置の構成の概略を示す機能ブロック図である。
【図２】図１に示した通信装置の一構成例を示すブロック図である。
【図３】図１に示した通信装置の動作を示すフローチャートである。
【図４】図１に示した通信装置が用いるアラーム設定テーブルの一例を示すテーブルである。
【図５】図１に示した通信装置が用いるアラーム設定テーブルの他の例を示すテーブルである。
【符号の説明】
【０１７４】
１０    通信装置
１１Ｂ  アラーム処理部（アラーム手段）
１２    報知部（報知手段）
１４    動作判定部（動作判定手段）
１５    マナーモード制御部（マナーモード制御手段）
１５Ａ  音量調整部（音量調整手段）
１５Ｂ  起動部（起動手段）
９２    保持装置
９４    外部装置
１０４    通信部（受信部）
１０５    通信制御部（通信制御手段）
１０６    操作部（操作取得手段）
【図１】
2009060294.tif 000003
【図２】
2009060294.tif 000004
【図３】
2009060294.tif 000005
【図４】
2009060294.tif 000006
【図５】
2009060294.tif 000007
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
マナーモード機能を備えた通信装置であって、
マナーモードが設定されている状態で、予め設定された設定時刻以降に所定の動作が行われたか否かを判定する動作判定手段と、
前記動作判定手段によって前記設定時刻以降に所定の動作が行われたと判定されたとき、マナーモードを解除するマナーモード制御手段とを備えたことを特徴とする通信装置。
【請求項２】
前記マナーモード制御手段は、前記マナーモードを解除してから、予め設定されたマナーモード解除時間経過後に、再びマナーモードに設定することを特徴とする請求項１に記載の通信装置。
【請求項３】
前記マナーモード制御手段は、前記所定の動作が起動したときにマナーモードを解除すると共に、該所定の動作が終了したときに再びマナーモードに設定することを特徴とする請求項１に記載の通信装置。
【請求項４】
前記マナーモード制御手段は、前記マナーモードを解除したとき、マナーモード時に無効化される機能の一部を有効化することを特徴とする請求項１から３の何れか１項に記載の通信装置。
【請求項５】
前記マナーモード制御手段がマナーモードを解除したとき、自装置または自装置が制御可能な外部装置で出力する音の音量を、所定の音量に調整する音量調整手段を備えたことを特徴とする請求項１から４の何れか１項に記載の通信装置。
【請求項６】
前記マナーモード制御手段がマナーモードを解除したことを、音、振動、表示、光および匂いの少なくとも何れか一つによって報知する報知手段を備えたことを特徴とする請求項１から５の何れか１項に記載の通信装置。
【請求項７】
前記マナーモード制御手段がマナーモードを解除したとき、自装置が制御可能な外部装置の機能を起動する起動手段を備えたことを特徴とする請求項１から６の何れか１項に記載の通信装置。
【請求項８】
前記マナーモード制御手段は、自装置を保持する保持装置に保持されたとき、マナーモードの解除／設定の状態を切り替えることを特徴とする請求項１から７の何れか１項に記載の通信装置。
【請求項９】
前記設定時刻になったことをユーザに報知するアラーム手段をさらに備え、
前記所定の動作は、前記アラーム手段の動作であることを特徴とする請求項１に記載の通信装置。
【請求項１０】
前記アラーム手段が、ユーザへの報知動作を所定の時間間隔で繰り返すスヌーズ機能を備え、
前記マナーモード制御手段は、前記アラーム手段のスヌーズ機能が動作している間、マナーモードを解除することを特徴とする請求項９に記載の通信装置。
【請求項１１】
外部装置と通信を行う通信部を備え、
前記マナーモード制御手段がマナーモードを解除したとき、前記通信部を通信可能な状態にする通信制御手段をさらに備えたことを特徴とする請求項９または１０に記載の通信装置。
【請求項１２】
ユーザ操作を取得可能な操作取得手段をさらに備え、
前記マナーモード制御手段は、前記操作取得手段がユーザ操作を取得した場合には、マナーモードを解除しないことを特徴とする請求項１に記載の通信装置。
【請求項１３】
所定のデータを外部から受信する受信部をさらに備え、
前記所定の動作は、前記受信部の動作であることを特徴とする請求項１に記載の通信装置。
【請求項１４】
マナーモード機能を備えた通信装置の制御方法であって、
マナーモードが設定されている状態で、予め設定された設定時刻以降に所定の動作が行われたか否かを判定する動作判定ステップと、
前記動作判定ステップにて前記設定時刻以降に所定の動作が行われたと判定したとき、マナーモードを解除するマナーモード制御ステップとを含むことを特徴とする通信装置の制御方法。
【請求項１５】
請求項１から１３のいずれか１項に記載の通信装置の上記各手段としてコンピュータを機能させるための通信プログラム。
【請求項１６】
請求項１５に記載の通信プログラムを記録したコンピュータ読み取り可能な記録媒体。
【手続補正２】
【補正対象書類名】明細書
【補正対象項目名】０１２０
【補正方法】変更
【補正の内容】
【０１２０】
着信・受信によるマナーモード解除手段（ｆ１１）には、アラーム以外にマナーモードを解除する条件が記述されている。図４の例では、アラーム設定時刻（ｆ１）以降に、(i)xxx@a.co.jpからメールを受信したら、(ii)題名が「起きろ！！」メールを受信したら、(iii)"090 1234 5678、070 1234 8765、060 4321 5678、082 123 4567"から着信したら、(iv)vCalendarのデータを受信したら、マナーモードを解除するように設定されている。
【手続補正３】
【補正対象書類名】明細書
【補正対象項目名】０１７１
【補正方法】変更
【補正の内容】
【０１７１】
さらに、本発明に係る携帯電話機は、ＰＬＣなど充電器にネットワークがつながっている場合、マナーモードの解除を他の携帯電話機から設定することができるように構成されていてもよい。